(57)【要約】【課題】  既設の配管を利用することにより不用水の排水を実現する。【解決手段】  熱源部で発生した不用水を排水タンクに溜め、この排水タンクと浴槽との間に介在させた追焚回路の管路に水を充填し、管路をサイフォン管に用いて排水タンク内の不用水を浴槽に排水させる。即ち、浴槽に注湯する注湯手段と、浴槽水を追焚回路を通してホンプにより熱交換器に循環させて加熱する追焚手段と、熱源部で発生した不用水を溜める排水タンクと、この排水タンクと浴槽との間に追焚回路の管路を介在させて構成されるサイフォン管と、このサイフォン管に設置されて排水タンクと浴槽とを切り替える切替弁と、追焚回路の管路に水を充填するとともに切替弁を排水タンク側に切替えることにより、排水タンクの不用水を浴槽側に排水させる制御部とを備える。【選択図】        図１
2005308263.tif 000002
【特許請求の範囲】
【請求項１】
熱源部で発生した不用水を排水タンクに溜め、この排水タンクと浴槽との間に介在させた追焚回路の管路に水を充填し、前記管路をサイフォン管に用いて前記排水タンク内の前記不用水を前記浴槽に排水させることを特徴とする給湯・追焚装置の不用水排出方法。
【請求項２】
前記管路への水の充填は、前記浴槽への注湯、又は浴槽水の追焚循環を利用することを特徴とする請求項１記載の給湯・追焚装置の不用水排出方法。
【請求項３】
前記不用水に加える希釈水は、前記浴槽への注湯、又は浴槽水の追焚循環により前記排水タンクに供給することを特徴とする請求項１記載の給湯・追焚装置の不用水排出方法。
【請求項４】
浴槽に注湯する注湯手段と、
浴槽水を追焚回路を通してホンプにより熱交換器に循環させて加熱する追焚手段と、
熱源部で発生した不用水を溜める排水タンクと、
この排水タンクと浴槽との間に前記追焚回路の管路を介在させて構成されるサイフォン管と、
このサイフォン管に設置されて前記排水タンクと前記浴槽とを切り替える切替弁と、
前記追焚回路の前記管路に水を充填するとともに前記切替弁を排水タンク側に切替えることにより、前記排水タンクの前記不用水を前記浴槽側に排水させる制御部と、
を備えたことを特徴とする給湯・追焚装置の不用水排出装置。
【請求項５】
前記切替弁は、前記浴槽への注湯、又は浴槽水の追焚循環による水の充填中に前記排水タンク側に切替えることを特徴とする請求項４記載の給湯・追焚装置の不用水排出装置。
【発明の詳細な説明】
【技術分野】
【０００１】
本発明は、給湯・追焚装置の不用水排出方法及びその装置に関し、熱交換により熱源部に発生する凝縮水等の不用水の排出方法及びその装置に関する。
【背景技術】
【０００２】
給湯・追焚装置に用いられているコンデンシング（高効率）給湯器では、熱交換時に強酸のドレン水が発生する。このドレン水は、専用の排水配管を設けて排水し、又は浴槽に導いて浴槽水とともに排水されている。
【０００３】
このドレン水の排水に関し、次のような先行特許文献が存在する。
【特許文献１】特開平５−５２３１９号公報
【特許文献２】特開平６−１４７６２９号公報  特許文献１には、ベンチュリー効果を利用して給湯管に凝縮水を導入することが開示され、特許文献２には、凝縮水を自然落下で浴槽へ導くことが開示されている。
【発明の開示】
【発明が解決しようとする課題】
【０００４】
ところで、ベンチュリー効果を利用して給湯管に凝縮水を導入する（特許文献１）と、給湯管の圧損が発生し、給湯量が不足する。ドレン水を自然落下で浴槽へ導く（特許文献２）と、給湯器から浴槽までの配管が限定されるため、実際の設置環境によっては適用できない場合が生じる。
【０００５】
また、集合住宅では、ドレン水等を排水させる専用配管を設けることができない場合があり、また、専用配管の設置が可能でも、設備コストを増大させる原因になる。
【０００６】
そこで、本発明は、既設の配管を利用することにより不用水の排水を実現することを目的とする。
【課題を解決するための手段】
【０００７】
上記目的を達成するために、本発明の給湯・追焚装置の不用水排出方法は、熱源部で発生した不用水を排水タンクに溜め、この排水タンクと浴槽との間に介在させた追焚回路の管路に水を充填し、前記管路をサイフォン管に用いて前記排水タンク内の前記不用水を前記浴槽に排水させる構成である。
【０００８】
上記目的を達成するためには、前記管路への水の充填は、前記浴槽への注湯、又は浴槽水の追焚循環を利用する構成としてもよい。
【０００９】
上記目的を達成するためには、前記不用水に加える希釈水は、前記浴槽への注湯、又は浴槽水の追焚循環により前記排水タンクに供給する構成としてもよい。
【００１０】
上記目的を達成するため、給湯・追焚装置の不用水排出装置は、浴槽に注湯する注湯手段と、浴槽水を追焚回路を通してホンプにより熱交換器に循環させて加熱する追焚手段と、熱源部で発生した不用水を溜める排水タンクと、この排水タンクと浴槽との間に前記追焚回路の管路を介在させて構成されるサイフォン管と、このサイフォン管に設置されて前記排水タンクと前記浴槽とを切り替える切替弁と、前記追焚回路の前記管路に水を充填するとともに前記切替弁を排水タンク側に切替えることにより、前記排水タンクの前記不用水を前記浴槽側に排水させる制御部とを備えた構成である。
【００１１】
上記目的を達成するためには、前記切替弁は、前記浴槽への注湯、又は浴槽水の追焚循環による水の充填中に前記排水タンク側に切替える構成としてもよい。
【発明の効果】
【００１２】
上記構成により、本発明によれば、次のような効果が得られる。
【００１３】
(1) 既設の追焚配管を不用水の排水に用いることができるので、専用の排水配管を設ける必要がない。
【００１４】
(2) 集合住宅等の高低差を利用でき、不用水の排水にポンプの駆動を伴わないので、省電力化に寄与する。
【００１５】
(3) 不用水を水で希釈できるので、中和剤等が不要であるとともに、耐酸性の配管の設置が要求されないため、設置コストを低減できる。
【発明を実施するための最良の形態】
【００１６】
本発明の実施形態について、図１を参照して説明する。図１は、給湯・追焚装置の不用水排出方法及びその装置の実施形態に係る給湯・追焚装置の概要を示す図である。
【００１７】
この給湯・追焚装置２は、一つの筐体内に給湯用の給湯用熱源部４と、追焚用の追焚用熱源部６とを備え、これらは双方並行運転又は単独運転のいずれでも運転可能であるとともに、一方の機能を他方で活用する機能として、給湯用熱源部４で加熱された湯を追焚用熱源部６側に供給して浴槽８に湯張りできる機能を備えている。給湯用熱源部４は高効率対応であり、燃焼室１０には、燃焼熱から顕熱を熱源とする一次熱交換器１２とともに、一次熱交換器１２を通過した排気ガスから潜熱を回収する二次熱交換器１４が設置されている。二次熱交換器１４には、潜熱回収の際に、排気ガス中の水蒸気の凝縮により不用水であるドレン水１６が生じるが、このドレン水１６を受けるドレン受け１８が設置されている。
【００１８】
給湯回路２０には給水口２２に接続された水道管等から水Ｗが供給され、この水Ｗは二次熱交換器１４側に導かれ、この二次熱交換器１４で加熱された後、一次熱交換器１２で加熱され、給湯口２４に至る。給湯口２４には給湯栓２６やシャワー等が設置される。
【００１９】
また、給湯回路２０を構成する管路には、通過流量を検出する流量センサ２８、入水温度を検出する温度センサ３０、バイパス回路３２とともにバイパス水制御弁３４、水制御弁３６、混合湯温を検出する温度センサ３８、加圧逃し弁４０等が設置されている。一次熱交換器１２のバイパス回路３２及びバイパス水制御弁３４は、湯の設定温度に対する応答性を高めるための手段である。また、二次熱交換器１４に発生するドレン水１６の低減を図るため、二次熱交換器１４に跨ってバイパス回路４２とともにバイパス弁４４が設置されている。
【００２０】
また、浴槽８側には追焚回路４６が設置され、この追焚回路４６と給湯回路２０とは注湯回路４８で連結され、この注湯回路４８は、給湯口２４の手前で分岐され、給湯回路２０で得られた湯ＨＷを追焚回路４６に流し込む手段である。斯かる注湯回路４８には、注湯電磁弁５０、注湯量を検出するための注湯量センサ５２、逆止弁５４等が設置されており、給湯側で得られた湯ＨＷが浴槽８側に注湯される。逆止弁５４は、上水側と浴槽水とを縁切りする手段を構成している。
【００２１】
ドレン受け１８と追焚回路４６とはドレン回路５６によって連結され、ドレン受け１８のドレン水１６はドレン回路５６を通して追焚回路４６に導かれる。ドレン回路５６にはドレン水１６を溜めるドレンタンク５８及び切替弁６０が設置されている。
【００２２】
二次熱交換器１４で発生したドレン水１６はドレンタンク５８に導かれて溜められるが、ドレンタンク５８と浴槽８との間に介在させたドレン回路５６及び追焚回路４６をサイフォン管に用いてドレン水１６をドレンタンク５８から浴槽８に導く構成である。この場合、ドレンタンク５８と浴槽８との高低差は、例えば、浴槽８側のあふれ面をドレンタンク５８より下側になるように構成される。また、ドレンタンク５８にはドレン水１６の希釈水として給水され、例えば、追焚回路４６に水圧がかかった状態で、切替弁６０を開放すれば、追焚回路４６からドレンタンク５８に浴槽水６２又は給湯水が供給される。
【００２３】
この実施形態では、ドレン回路５６には図示しない暖房回路に設置された暖房用オーバーフロータンク６３等が連結され、暖房用のオーバーフロー水がドレンタンク５８に導かれるように構成してもよい。
【００２４】
また、追焚回路４６は、追焚用燃焼室６４内に設置された熱交換器６６と浴槽８の循環アダプタ６８との間に形成されており、斯かる追焚回路４６には、ポンプ７０、流水スイッチ７２、温度センサ７４、７６、水位センサ７８、切替弁８０が設置されている。切替弁６０、８０の切替えにより、ドレンタンク５８のドレン水１６をドレンタンク５８と浴槽８の位置関係によるサイフォン現象の利用により、追焚回路４６の往管８２から浴槽８に流し込むことができる。
【００２５】
そして、給湯用燃焼室１０側には給湯バーナ８４、追焚用燃焼室６４側には追焚バーナ８６が設置され、燃料ガスＧが燃料ガス管８８を通じて供給されているとともに、元ガス電磁弁９０及びガス比例弁９２を経て給湯バーナ８４側に切替電磁弁９４、ガス電磁弁９６、切替電磁弁９８が設置され、追焚バーナ８６側にガス電磁弁１００が設置されて燃料ガスＧの切替え及び調整が可能に構成されている。従って、燃料ガスＧは、ガス比例弁９２等を通じて、給湯バーナ８４、追焚バーナ８６に供給され、必要に応じて燃焼が行われる。また、燃焼室１０側には燃焼空気を導く給気ファン１０２、燃焼室６４側には追焚ファン１０４が設置されている。                                                          
【００２６】
また、給湯・追焚装置２には、電装基板に実装された制御装置１０６が設置され、この制御装置１０６にはリモコン装置１０８が接続され、遠隔操作を可能にしている。
【００２７】
次に、ドレンタンク５８の水位センサについて、図２を参照して説明する。図２は、水位センサを備えたドレンタンクの概要を示している。
【００２８】
ドレンタンク５８にはドレン水１６の水位を検出する水位センサ１１０、１１２、１１４、１１６が設置されている。各水位センサ１１０、１１２、１１４、１１６は、検出レベルＨ、Ｂ、Ｗ、Ｌに対応して設置されており、Ｌは排出終了検知用水位、Ｗは事前希釈用水の注水水位、Ｂは二次熱交換器１４のバイパス開始水位、Ｈは強制排出開始水位を示している。
【００２９】
次に、この給湯・追焚装置２の制御装置１０６について、図３を参照して説明する。図３は、制御装置１０６の概要を示すブロック図である。
【００３０】
制御装置１０６には、マイクロコンピュータ等で構成される制御部１１８が設置され、この制御部１１８には、水位センサ１１０〜１１６、水位センサ７８、流水スイッチ７２、その他のセンサ１２０から検出信号が加えられ、制御部１１８の制御出力が切替弁６０、８０、バイパス弁４４、ポンプ７０、その他の機能部品１２２等に加えられる。制御部１１８には、リモコン装置１０８の制御部１２４が連結されており、制御部１２４、キースイッチ等を含む操作部１２６から操作入力が加えられ、制御部１２４の制御出力が表示部１２８、警報機１３０、図示しない他の機器に加えられる構成である。
【００３１】
以上説明した給湯・追焚装置２について、基本的な動作とともにドレン水１６の排出動作を説明する。
【００３２】
二次熱交換器１４に発生した凝縮水はドレン水１６としてドレン受け１８で受け、ドレン回路５６からドレンタンク５８に導かれて溜められる。ドレンタンク５８と追焚回路４６との間に設置された切替弁６０の切替えにより、ドレン回路５６と浴槽８に至る追焚回路４６とが連通される。切替弁８０は浴槽８からポンプ７０を経由し再び浴槽８に戻る追焚回路４６の形成又はその閉止に用いられる。ドレンタンク５８のドレン水１６は、追焚回路４６の往管８２に湯水を充填した状態で切替弁８０を閉止するとともに、切替弁６０を開放、即ち、切替弁６０を通してドレンタンク５８と追焚回路４６を開通させ、ドレンタンク５８と浴槽８の位置関係によるサイフォン現象により、ドレンタンク５８内のドレン水１６が浴槽８側に排出される。ドレンタンク５８の水位が低下して所定の水位Ｌ（図２）に達すると、切替弁６０を閉止し、追焚回路４６とドレン回路５６との間を遮断し、ドレン水１６をドレンタンク５８に溜める。
【００３３】
ドレンタンク５８内のドレン水１６は水により希釈されて排出されるが、その希釈は、事前にドレンタンク５８に水を入れておくことにより行われる。ドレンタンク５８に希釈水を入れておくには、浴槽水６２がある場合は、ポンプ７０を駆動し、追焚回路４６に浴槽水６２を循環した状態にした後、切替弁６０を開放する。浴槽水６２がない場合は、浴槽８への注湯を行い、追焚回路４６に注湯用の湯水が供給されている状態にした後、切替弁６０を開放する。いずれの場合も、追焚回路４６内の水圧のため、切替弁６０よりドレンタンク５８内に追焚回路４６内の水が供給される。ドレンタンク５８内の水位が水位Ｗになると切替弁６０を閉止し、ポンプ７０の停止又は注湯停止を行う。
【００３４】
このようにしてドレン水１６は希釈水が入ったドレンタンク５８に溜められる。ドレンタンク５８内の水位が所定の水位Ｂに達すると、上限水位Ｈに近づくため、バイパス弁４４を開き、二次熱交換器１４を通る通水量を減らし、ドレン水１６の発生を抑制する。なお、ドレンタンク５８のドレン水１６が水位Ｂに達したときに、追焚回路４６の循環回路を確立させてポンプ７０を駆動し、流水スイッチ７２が入らなければ、浴槽８に浴槽水６２が無いと判断し、ドレン水１６の排出を行うようにしてもよい。
【００３５】
ドレン水１６の排出は浴槽水（入浴水）６２への混合を防ぐため、浴槽８より浴槽水６２の排出を行うときが望ましい。そこで、浴槽水６２の排出は、水位センサ７８で浴槽水６２の水位の監視を行うことにより検出し、浴槽水６２の水位が徐々に低下し、循環アダプタ６８以下に達すると、ドレン水１６の排出動作を行う。なお、浴槽８の排水部６９にセンサ等を設け、その信号により浴槽水６２の排出を検知する構成としてもよい。また、浴槽８への湯張りを行う際、所定時間又は所定量の注湯を行っているにもかかわらず、水位が上昇しない場合には、浴槽８の排水部６９の栓が外れていると判断し、ドレン水１６の排水を行うようにしてもよい。
【００３６】
その結果、ドレン水１６等の不用水はドレンタンク５８から機外に排出され、専用のドレン配管を設けずにドレン水１６等の不用水を排出できる。また、その排出は浴槽水６２のない浴槽８に排出される構成とすれば、ドレン水１６が入浴に使用されることもなく、衛生的である。
【００３７】
次に、ドレン水１６の排水処理について、図４及び図５を参照して説明する。図４及び図５は排水処理を示すフローチャートである。図４及び図５において、Ａは各フローチャートが連結される箇所を示している。
【００３８】
排水タイミングが到来したか否かを判定する（ステップＳ１）。排水タイミングは浴槽８の排水部６９が開放されたときであり、水位センサ７８の水位検出に基づいて排水タイミングが設定される。排水タイミングが到来すると、ドレンタンク５８内の水位にかかわらず、排水処理（ステップＳ５以下）を行う。排水タイミングでない場合には、ドレンタンク５８内の水位が上限水位Ｈに近い水位Ｂに達したか否かを水位センサ１１２の検出信号により判定する（ステップＳ２）。水位Ｂにドレン水１６の水位が到達している場合にはステップＳ３に移行し、そうでない場合にはステップＳ１４に移行する。
【００３９】
ドレン水１６が水位Ｂに到達しているとき、バイパス弁４４を開き、二次熱交換器１４のバイパス回路４２に通水させ、二次熱交換器１４の通水量を減少させる（ドレン水抑制処理＝ステップＳ３）。この結果、二次熱交換器１４からドレン水１６の発生が抑制される。なお、その際、表示部１２８や警報機１３０による情報の提示により使用者に注意を促すことができる。
【００４０】
ドレンタンク５８内の水位が上限水位Ｈに達したか否かを判定する（ステップＳ４）。上限水位Ｈに達していなければ、ステップＳ１４に移行する。上限に達した場合には、強制排水開始に移行する。なお、その際、表示部１２８や警報機１３０による情報の提示により使用者に注意を促すことができる。
【００４１】
浴槽８に浴槽水６２が残っているか否かを判定する（ステップＳ５）。この判定は、追焚回路４６のポンプ７０を駆動し、流水スイッチ７２の出力、水位センサ７８の出力を参照して行う。浴槽水６２が残っている場合はステップＳ８に移行する。
【００４２】
ここで、注湯動作により、追焚回路４６の往管８２のエアパージを行う（ステップＳ６）。即ち、切替弁８０を閉じ、注湯回路４８から往管８２を経由して給水を行い、浴槽８まで給水で満たされた経路を確立し、空気を管路内から排除する。
【００４３】
この注湯は、追焚回路４６の往管８２のエアパージが完了するまで持続する（ステップＳ７）。このエアパージの終了は、所定量の注湯や、所定時間の注湯により判断する。
【００４４】
また、ステップＳ５で浴槽８に浴槽水６２が残っている場合には、追焚回路４６に浴槽水６２を循環させて追焚回路４６のエアパージを行う。即ち、切替弁８０を開き、浴槽８→切替弁８０→ポンプ７０→浴槽８の循環回路を確立し、通水によって管路内の空気を排除する（ステップＳ８）。
【００４５】
ポンプ７０の駆動により、追焚回路４６内に浴槽水６２を循環させ、エアパージを行う（ステップＳ９）。このエアパージは、例えば、流水スイッチ７２による流水検知が所定時間持続した場合、終了とする。
【００４６】
ポンプ７０を停止し、切替弁８０を閉止する（ステップＳ１０）。これにより、追焚回路４６は浴槽水６２が充填された状態になる。
【００４７】
切替弁６０を開放し、ドレンタンク５８のドレン水１６の排出を開始する（ステップＳ１１）。ドレンタンク５８は大気に開放されており、ドレンタンク５８に対し浴槽８の位置が低いため、ドレンタンク５８よりドレン水１６が流れ出し、浴槽８側に排出される。
【００４８】
ドレンタンク５８の水位が下限レベル（水位Ｌ）になるまでドレン水１６の排出を続け、下限水位Ｌに到達したとき、排水を停止する（ステップＳ１２）。この場合、ドレンタンク５８が空になるまで排水すると、空気が浴槽８に流れるおそれがあるので、特に強制排出の場合、追焚回路４６への空気の侵入を防止するため、下限水位Ｌで排水を停止させる。
【００４９】
ドレンタンク５８内の排水が終了し、ドレン回路５６の切替弁６０を閉止する（ステップＳ１３）。ステップＳ３でドレン水抑制を行っていた場合は、バイパス弁４４を閉じ、二次熱交換器１４のバイパス回路４２を閉じる。
【００５０】
次に、ドレンタンク５８内に希釈水があるか否かを判断する（ステップＳ１４）。即ち、ドレンタンク５８内の水位が水位Ｗに到達しているか否かで判断する。通常、ドレン水１６の排出を行った直後には、希釈水が無くなる。
【００５１】
浴槽８の水位の判定、即ち、浴槽水６２が残っているか否かを判断する（ステップＳ１５）。この判定は、排出処理後であれば、ステップＳ５の判断結果を利用しても良いし、ステップＳ５と同様に、追焚回路４６のポンプ７０を駆動し、流水スイッチ７２の出力や水位センサ７８の出力を参照して行えばよい。浴槽水６２が残っている場合はステップＳ２２に移行する。
【００５２】
注湯動作により、追焚回路４６より切替弁６０を経由してドレンタンク５８へ希釈水を供給する。まず、切替弁８０を閉じ、注湯回路４８から往管８２を経由し、浴槽８までの経路を確立する（ステップＳ１６）。
【００５３】
注湯を開始し、切替弁６０に水圧がかかった状態にし（ステップＳ１７）、切替弁６０には水圧がかかっているため、切替弁６０を開放状態に切り換えると、追焚回路４６を流れる注湯水が切替弁６０からドレンタンク５８内に流れ込み、これがドレン水１６の希釈水となる（ステップＳ１８）。
【００５４】
ドレンタンク５８内の水位が希釈水の注入水位（水位Ｗ）になるまで注水を続け（ステップＳ１９）、切替弁６０を閉じ、ドレンタンク５８への注水を停止し（ステップＳ２０）、注湯動作を停止し、排水処理を終了する（ステップＳ２１）。
【００５５】
また、ステップＳ１５で浴槽８に浴槽水６２が残っている場合には、追焚回路４６に浴槽水６２を循環させることにより追焚回路４６より切替弁６０を経由し、ドレンタンク５８へ希釈水として供給する。この場合、切替弁８０を開き、浴槽８→切替弁８０→ポンプ７０→浴槽８に至る循環回路を確立する（ステップＳ２２）。
【００５６】
ポンプ７０を駆動して追焚回路４６内に浴槽水６２を循環させ、切替弁６０に水圧がかかった状態にする（ステップＳ２３）。切替弁６０には水圧がかかっているため、切替弁６０を開放すると追焚回路４６を流れる循環水が切替弁６０からドレンタンク５８内に流れ込む（ステップＳ２４）。ドレンタンク５８内の水位が希釈水の注入水位（水位Ｗ）になるまで注水を続ける（ステップＳ２５）。そして、切替弁６０を閉じ、ドレンタンク５８への注水を停止し（ステップＳ２６）、ポンプ７０を停止し、排水処理を終了する（ステップＳ２７）。
【００５７】
以上説明したドレン水１６の排水処理について、図６に示すように、追焚回路４６の中間部が屈曲して給湯・追焚装置２より高く配置された場合でも、ドレンタンク５８が浴槽８のあふれ水位面１３２より高く設定されているので、図７に示すように、往管８２に例えば、浴槽水６２を満たしてエアパージを行えば、図８に示すように、ドレンタンク５８のドレン水１６と浴槽８の浴槽水６２とを連結でき、ドレンタンク５８からドレン水１６を浴槽８側に排水することができる。
【００５８】
以上説明した給湯・追焚装置２について、特徴事項、変形例等を以下に列挙する。
【００５９】
(1) コンデンシング（高効率）給湯器において発生するドレン水１６の排水配管に特別な管路を設置することなく、追焚回路４６及び浴槽８を通して排水することができる。ドレンタンク５８に溜められたドレン水１６は追焚回路４６の例えば、往管８２をサイフォン管に利用し、サイフォン原理を応用して浴槽８側に流し込んでいる。このため、途中の管路が屈曲して配管されていても、排水の障害となることはない。
【００６０】
(2) ドレンタンク５８内のドレン水１６に希釈水を混入させるので、強酸を弱酸に変換させることができる。このため、追焚回路４６を劣化させることもない。しかも、希釈水は追焚回路４６より調達するので、格別な回路が不要である。
【００６１】
(3) ドレンタンク５８は浴槽８のあふれ水位面１３２より高く設定すればサイフォン原理を損なうことはない。
【００６２】
(4) ドレン水１６の排水は自然落下ではなくサイフォン原理を利用するため、ドレンタンク５８と浴槽８の高低関係に若干の制限が加わるが、途中の天井配管等、配管経路の高低差は自由であり、エアパージさえ行えば、効率的に排水が可能である。
【００６３】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００６４】
本発明は、熱交換によって生じる凝縮水等の不用水を給湯・追焚装置から効率よく、しかも、既存の設備を利用することにより、ドレン水等の不用水の排水することができ、産業上有益な発明である。
【図面の簡単な説明】
【００６５】
【図１】本発明の実施形態に係る給湯・追焚装置を示す図である。
【図２】ドレンタンク及び水位センサの配置を示す図である。
【図３】制御装置の概要を示すブロック図である。
【図４】ドレン排出処理の基本動作を示すフローチャートである。
【図５】ドレン排出処理を示すフローチャートである。
【図６】配管形態を示す図である。
【図７】配管内のエアパージ処理を示す図である。
【図８】ドレン水の排水を示す図である。
【符号の説明】
【００６６】
２  給湯・追焚装置
８  浴槽
１２  一次熱交換器
１４  二次熱交換器
１６  ドレン水（不用水）
２０  給湯回路
４６  追焚回路
４８  注湯回路
５６  ドレン回路
５８  ドレンタンク
６０、８０  切替弁
６２  浴槽水
【図１】
2005308263.tif 000003
【図２】
2005308263.tif 000004
【図３】
2005308263.tif 000005
【図４】
2005308263.tif 000006
【図５】
2005308263.tif 000007
【図６】
2005308263.tif 000008
【図７】
2005308263.tif 000009
【図８】
2005308263.tif 000010